(57)【特許請求の範囲】
【請求項１】
データを電気信号または光信号として取り込むデータ取得手段と、
前記取り込んだデータの内容の一部またはその特徴を表すキー情報を作成する特徴抽出手段と、
前記取り込んだデータおよび当該データのキー情報を、磁気信号または光信号として読み出すことが可能な形で記録する記録手段と、
この記録手段に記録されたデータおよびキー情報を読み出して画像または印字として出力する再生手段と、
前記記録手段に記録されたデータを消去する消去手段と、
前記記録された各データの重要度を判定して前記消去手段に出力する重要度評価手段とを有する記録再生装置であって、
前記重要度評価手段は、現在時刻t、データ作成時刻t0、データ作成に対応する忘却係数T、検索重みΩs、検索ヒット回数Ns、最終検索ヒット時刻ts、検索に対応する忘却係数Ts、再生重みΩp、再生回数Np、再生最終時刻tp、再生に対応する忘却係数Tpにより数式１から重要度Ｊを求め、
【数１】
0003956099.tif 000004
前記消去手段は、前記重要度評価手段から出力される重要度Ｊが予め設定された闇値以下のとき、前記記録手段に記録された当該データを消去するとともに、当該データのキー情報は消去しないでそのまま残すことを特徴とする記録再生装置。
【請求項２】
データを電気信号または光信号として取り込むデータ取得手段と、
前記取り込んだデータの内容の一部またはその特徴を表すキー情報を作成する特徴抽出手段と、
前記取り込んだデータおよび当該データのキー情報を、磁気信号または光信号として読み出すことが可能な形で記録する記録手段と、
この記録手段に記録されたデータおよびキー情報を読み出して画像または印字として出力する再生手段と、
前記記録手段に記録されたデータを消去する消去手段と、
前記記録された各データの重要度を判定して前記消去手段に出力する重要度評価手段とを有する記録再生装置であって、
前記重要度評価手段は、現在時刻t、データ作成時刻t0、データ作成に対応する忘却係数T、検索重みΩs、検索ビット回数Ns、最終検索ヒット時刻ts、検索に対応する忘却係数Ts、再生重みΩp、再生回数Np、再生最終時刻tp、再生に対応する忘却係数Tpにより数式２から重要度Ｊを求め、
【数２】
0003956099.tif 000005
前記消去手段は、前記記録手段の空き容量が予め設定された値以下のとき、前記重要度評価手段から出力される重要度Ｊが最も低いデータを消去するとともに、当該データのキー情報は消去しないでそのまま残すことを特徴とする記録再生装置。
【請求項３】
請求項１または請求項２に記載の記録再生装置において、
再生に対応する忘却係数Tpが、検索に対応する忘却係数Ts以上であることを特徴とする記録再生装置。
【請求項４】
請求項１または請求項２に記載の記録再生装置において、
再生重みΩpが、検索重みΩs以上であることを特徴とする記録再生装置。
【請求項５】
請求項１または請求項２に記載の記録再生装置において、
使用者がデータ作成に対応する忘却係数T、検索重みΩs、検索に対応する忘却係数Ts、再生重みΩp、再生に対応する忘却係数Tpをカスタマイズする調整手段、または、前記記録再生装置が前記各係数を自動学習する調整手段を備えることを特徴とする記録再生装置。
【請求項６】
請求項１または請求項２に記載の記録再生装置において、
前記キー情報それぞれについて重要度を判定して判定したキー情報重要度を出力するキー情報重要度評価手段と、キー情報重要度を入力として前記キー情報を消去するキー情報消去手段とを備え、
前記キー情報重要度評価手段は、現在時刻t、データ消去時刻t0k、データ消去に対応する忘却係数Tk、キー情報検索重みΩsk、キー情報検索ヒット回数Nsk、キー情報最終検索ヒット時刻tsk、検索に対応するキー情報忘却係数Tsk、キー情報再生重みΩpk、キー情報再生回数Npk、キー情報再生最終時刻tpk、再生に対応するキー情報忘却係数Tpkより数式３からキー情報重要度Jk(ただし、データ消去以前ではJkは１以上)を求め、
【数３】
0003956099.tif 000006
前記キー情報消去手段は、消去されたデータに対応するキー情報の中で、キー情報重要度Jkが予め設定された閥値以下の場合にはそのキー情報を自動的に消去することを特徴とする記録再生装置。
【請求項７】
請求項６に記載の記録再生装置において、
データ消去に対応する忘却係数Tkは、データ作成に対応する忘却係数T以上、検索に対応するキー情報忘却係数Tskは、検索に対応する忘却係数Ts以上、再生に対応するキー情報忘却係数Tpkは、再生に対応する忘却係数Tp以上であることを特徴とする記録再生装置。
【請求項８】
請求項６に記載の記録再生装置において、
再生に対応するキー情報忘却係数Tpkは、検索に対応するキー情報忘却係数Tsk以上であることを特徴とする記録再生装置。
【請求項９】
請求項６に記載の記録再生装置において、
キー情報再生重みΩpkは、キー情報検索重みΩsk以上であることを特徴とする記録再生装置。
【請求項１０】
請求項１または２または６に記載の記録再生装置において、
データ作成時刻to、検索ヒット回数Ns、最終検索ヒット時刻ts、再生回数Np、再生最終時刻tp、データ消去時刻tokキー情報検索ヒット回数Nsk、キー情報最終検索ヒット時刻tsk、キー情報再生回数Npk、キー情報再生最終時刻tpkは、当該するキー情報とともに前記記録手段に記録され、キー情報の消去まで保持されることを特徴とする記録再生装置。
【請求項１１】
請求項１〜１０のいずれか一項に記載の記録再生装置において、
記録手段に格納されたデータを他の記録装置に通信回線を介して転送する転送手段を備え、
前記消去手段は、消去するデータを前記他の記録装置に前記転送手段を介して転送することを特徴とする記録再生装置。
【請求項１２】
請求項１〜１１のいずれか一項に記載の記録再生装置において、
前記消去手段は、使用者のコマンド発生に応じてデータを消去することを特徴とする記録再生装置。
【請求項１３】
請求項１〜１１のいずれか一項に記載の記録再生装置において、
前記消去手段は、記録再生動作が停止しているときに前記データを消去することを特徴とする記録再生装置。
【請求項１４】
請求項１１に記載の記録再生装置において、
前記再生手段は、消去されたデータのキー情報にアクセスがあり、消去されたデータに対するアクセス要求があった場合には、前記他の記録装置から該当するデータを取得することを特徴とする記録再生装置。
【請求項１５】
請求項１〜１４のいずれか一項に記載の記録再生装置において、
前記データが消去され、対応するキー情報のみとなったデータに再生要求があった場合、前記再生手段は、当該キー情報のみを再生することを特徴とする記録再生装置。
【請求項１６】
請求項１〜１４のいずれか一項に記載の記録再生装置において、
前記再生手段は、データが消去され、対応するキー情報のみとなったデータが検索にヒットした場合、当該データが消去されていると表示することを特徴とする記録再生装置。
【発明の詳細な説明】
【０００１】
【発明の属する技術分野】
本発明は、磁気ディスク装置などの大容量記録装置を備えた記録再生装置に関し、特に画像や音声情報を連続的にとりこむ記憶補助装置に関する。
【０００２】
【従来の技術】
例えばパーソナルコンピュータでは、データを作成するアプリケーションやネットワークを介してデータを取得する手段をもち、磁気ディスク装置などのデータを記録する記録装置および記録されたデータを再生する再生手段をもつ。この記録装置の容量は大容量となってきている。それにともない、取り扱うデータも動画のような大容量のものとなっている。従来、この記録装置の空き容量が不足してきた場合には、使用者が不要なデータを選択して消去するといった使用者に依存した方法が取られてきた。しかし、記録装置が大容量になると、データ数が非常に多くなり、使用者が不要なファイルを選択することが困難となり、また使用者の把握できない不要なファイルも多数存在するなど、効率の悪い記録装置の使用方法となりがちである。
【０００３】
また、例えば画像や音声を連続的に取り込む記憶補助装置では、連続的に取り込むがゆえに、無限ともいえる記録容量が必要である。しかし、記録装置が有限であるために古いデータから消去していくなどの方法がとられる。しかしこのような消去方法では、古いからといって不要なデータであるとは限らないのに、単に古いという理由で、必要なデータを消去する可能性がある。
【０００４】
一方、種々の条件に基づいて自動的にデータを消去する方法もある。特開平11-232038号公報では、記録されたデータに保持期間や再生回数を情報として付加し、その情報によってデータを自動的に消去する方法が記されている。また、特開2000-224063号公報では、ユーザがデータ内容の種類、特にＴＶ番組を記録する場合、番組によってデータ保持期間を設定し、これによってデータを自動消去する方法が記されている。
【０００５】
【発明が解決しようとする課題】
上記従来技術は、データそのものやその種類に対してあらかじめ保持期間を決定しておくものであり、各データの有用性を評価するものではない。また、消去する際にはデータのすべてを消去してしまう。したがって、データを回復することができない。また、例えば記憶補助装置においては、データが消去されてしまうとそのデータに関する記憶は一切補助されない。
【０００６】
本発明の目的は、記憶容量が有限である記録装置を、効率よく使用することである。本発明のもうひとつの目的は、データを消去しても、データの回復や最低限の記憶補助を可能とすることである。
【０００７】
【課題を解決するための手段】
上記課題を解決するために、発明者等は、記録されているデータの内容の少なくとも一部を示すキー情報を作成してデータと共に記録し、さらに各データの重要度を予め設定されているルールによって自動的に判別し、判別した重要度が予め設定した閾値より低いデータ、あるいは、記録装置の空き容量が予め設定した容量以下の場合、判別した重要度が最も低いデータを消去することとし、いずれの場合も、消去したデータに対応するキー情報はそのまま、消去しないで残すこととした。
【０００８】
すなわち、上記課題を解決する本発明は、データを電気信号もしくは光信号として取りこむデータ取得手段と、前記取り込んだデータの内容の一部もしくはその特徴を表すキー情報を作成する特徴抽出手段と、前記取り込んだデータ及び該データのキー情報を、磁気信号もしくは光信号として読み出すことが可能な形で記録する記録手段と、この記録手段に記録されたデータ及びキー情報を読み出して画像もしくは印字として出力する再生手段と、前記記録手段に記録されたデータを消去する消去手段と、前記記録された各データの重要度を判定して前記消去手段に出力する重要度評価手段と、を有して記録再生装置を形成し、前記消去手段は、前記重要度評価手段から出力される重要度があらかじめ設定された閾値以下のとき、前記記録手段に記録された当該データを消去するとともに、当該データのキー情報は消去しないでそのまま残すよう構成されていることを特徴とする。
【０００９】
データを消去する際に前記キー情報は残しておくことにより、該キー情報からの記憶補助や該データの回復が可能となる。
【００１０】
各データの重要度を判定し、該重要度の低いデータを消去することにより、有限な容量の記録装置を効率よく使用できる。
【００１１】
前記記録手段の空き容量が予め設定された容量以下になったとき、重要度評価手段から出力される重要度のなかで一番低い重要度のデータを前記記録手段から消去するとともに、当該データのキー情報は消去しないでそのまま残すようにしてもよい。このようにしても、有限な容量の記録装置を効率よく使用できるとともに、残ったキー情報から、消去されたデータの内容を推測したりある程度の回復が可能となる。
【００１２】
【発明の実施の形態】
以下、本発明に係る記録再生装置の実施の形態について図面を用いて説明する。
（第１の実施の形態）
まず、図1を用いて本発明の第１の実施の形態の基本的な構造を説明する。図1に示す記録再生装置は例えば磁気ディスクを用いた磁気ディスク記録再生装置であり、記録過程101と再生過程102、消去過程103よりなり、それぞれ、使用者によってもしくは自動的に発生される記録コマンド104、再生コマンド105、消去コマンド106によって動作する。
【００１３】
記録過程101は、データを記録する過程である。記録過程101は、データ109を取得するデータ取得装置（以下、データ取得手段という）100と、データ取得手段100が取得したデータ109のキー情報110を作成する特徴抽出手段107と、データ109と当該データのキー情報110をデータ名（あるいは自動的に付与されるデータ番号）と共に記録する記録手段である記録装置108と、を含んで構成されている。
【００１４】
再生過程102は、記録されたデータを再生する過程である。再生過程102は、使用者により再生コマンド入力後、検索のためのキーワードとともに入力された検索指令114により、記録装置108内のデータ群から検索にヒットしたリストを検索結果116として出力する検索手段111と、使用者が発生した選択指令115を受け選択結果117を出力する選択手段112と、選択されたデータや対応するキー情報などの再生情報118を再生する再生手段113と、を含んで構成されている。ここで、検索手段111は必ずしも必要ではなく、使用者は記録装置108内のデータ群リストから直接データの選択を行ってもよい。
【００１５】
記録装置108内のデータ群を消去することなく記録し続けると、記録装置108の空き容量がなくなり、記録できなくなる。そこで本実施の形態は、重要度評価手段119をもつ消去過程103を有する。
【００１６】
消去過程103は、記録装置108内のデータ109の重要度を自動判別し、自動的にデータ109の消去を行う過程である。消去過程103は、前記選択手段112に接続され、前記選択手段112から出力される検索結果116や選択結果117の履歴を格納し、検索結果116や選択結果117の履歴によるデータ109の再生状況などから各データ109の重要度201を演算し出力する重要度評価手段119と、この重要度201を受け、記録装置108に規定した空き容量が得られるよう重要度の最も低いデータを消去する消去指令122を記録装置108に出力し、該当する記録装置108内のデータを消去する消去手段120と、を含んで構成されている。消去手段120は、重要度に閾値を設け、重要度201が閾値以下であるデータに消去指令122を出力するようにしてもよい。ただし、いずれの場合も、対応するキー情報は消去しない。
【００１７】
数1に、図1に示す重要度評価手段119の一演算例を示す。また、図2に本実施の形態による重要度201の変化の例を示す。
【００１８】
【数１】
0003956099.tif 000002
J：重要度201、
t：時刻202、
t0：データ作成時刻204、
T：データ作成に対応する忘却係数210、
Ωs：検索重み207、
Ns：検索ヒット回数211、
ｔs：最終検索ヒット時刻206、
Ts：検索に対応する忘却係数212、
Ωp：再生重み209、
Nｐ：再生回数213、
ｔp：最終再生時刻208、
Tp：再生に対応する忘却係数214。
【００１９】
データの重要度201は、データが取得されることにより発生する。
【００２０】
数1の第１項は、データ取得に関する重要度であり、新しく取得されたデータは重要度201が高い。データ取得時刻ｔ0204にデータを取得して以後は、データ作成に対応する忘却係数T 210による時定数で重要度を下げる。
【００２１】
数1の第2項は、検索ヒットに関する重要度であり、検索ヒットの回数211が多いデータ、最近検索にヒットしたデータほど重要度が高い。最終検索ヒット時刻206後は検索に対応する忘却係数212による時定数で重要度を下げるが、新たに検索にヒットすれば、その重要度を上げる。
【００２２】
数1の第3項は、再生に関する重要度であり、再生の回数213が多いデータ、最近再生したデータほど重要度が高い。最終再生時刻208後は再生に対応する忘却係数214による時定数で重要度を下げるが、新たに再生すれば、その重要度を上げる。
【００２３】
すなわち、本実施の形態では、最近のデータおよび頻繁にアクセスのあるデータの重要度201が高くなる。これらの和であるデータの重要度201が指定の閾値203以下であった場合はそのデータは自動的に消去される。または、記録装置108に所望の空き容量が得られるよう重要度201の低いデータから消去される。一般に、検索にヒットしただけのデータよりも、再生されたデータの方が重要であるため、再生に対応する忘却係数214は検索に対応する忘却係数212以上とし、再生重み209は検索重み207以上とする。また、検索にはキー情報110を用いることにより、高速な検索が可能となる。ここで、パラメータである忘却係数T、Tp、Ts、および重みΩp、Ωsは使用者によるカスタマイズや、学習による自動調整など調整手段を保持してもよい。また、本実施の形態では重要度評価手段119が時計を有し、時刻t0、ts、tpを得る必要がある。重要度201を演算するために必要な時刻t0、ts、tpおよび回数Ns、Npは、各データごとに保存が必要であり、各キー情報110の内部及び各キー情報110に対応付けられた重要度判別データとして重要度評価手段119に格納され、随時記録更新される。この重要度判別データは、データ消去の際には消去されず、対応するキー情報が消去されるまで記録更新される。重要度判別データは、記録手段108のキー情報とともに格納し、重要度評価手段119が、必要に応じて、そのデータを読み出して重要度演算を行うようにしてもよい。
【００２４】
図3に、図1に示す実施の形態の動作のフローチャートを示す。
【００２５】
記録過程101では、記録コマンド104の発生により手順がスタートし、まずデータが取得される（手順301）。取得されたデータ109から特徴抽出によるキー情報が生成され（手順302）、データ109および生成されたキー情報110がデータ名（あるいは自動的に付与されるデータ番号、以下同じ）とともに記録される（手順303）。文書データの場合、その表題、目次がある場合は目次、あるいは文書の冒頭の一部などが抽出され、キー情報110となる。文書自体の情報は、いわゆるテキストデータに加え、書式やページ構成などのデータを含んでいるために、データ量が大きくなっているから、テキストデータを抜き出してキー情報としてもよい。なお、前記データ名と当該データが記録装置108に格納された時刻は、前記重要度評価手段119に転送され、重要度評価のためのデータ（重要度判別データ）として格納される。
【００２６】
再生過程102では、再生コマンド105発生により手順がスタートし、まず検索が行なわれ、検索にヒットしたデータの検索ヒット回数211および最終検索ヒット時刻206が更新され（手順304）、検索結果が表示される（手順305）。検索にヒットしたデータから選択が行われ、選択指令115が発生すると、再生するデータの再生回数213と最終再生時刻208が更新され（手順306）、再生結果が画像としてあるいは印字出力として表示される（手順307）。次いで再生過程を終了してよいかどうかが判断され（手順308）、再生過程102を終了する場合にはこれで終了となり、続ける場合には検索、もしくは選択が繰り返される。再生過程102における検索ヒットしたデータ名とその検索ヒット時刻や再生したデータ名とその再生時刻は重要度評価手段119に入力され、重要度評価手段119に格納されている、各データの検索ヒット回数211および最終検索ヒット時刻206並びに再生回数213と最終再生時刻208が更新される。
【００２７】
消去過程103では、消去コマンド106の発生により手順がスタートし、まず各データ109の重要度演算が前記数１に従って行なわれる（手順309）。消去コマンド106の発生は、装置使用者がその都度発生させてもよいし、予め設定された時間間隔で自動発生する方式でもよい。記録装置の空き容量が予め定められた容量以下になったときに自動的に発生する方式でもよい。手順309の演算結果（重要度201）は消去手段120に入力され、閾値に比較されてそのデータが重要かどうかの判断が行なわれ（手順310）、重要でないと判断されたデータについては、消去指令122が出力されて消去される（手順311）。ただし、この際データ自体は消去されるが、当該データのキー情報は消去されない。
【００２８】
なお、記録装置の空き容量が予め定められた容量以下になったときに自動的に消去コマンド106が発生され、閾値と無関係に、算出された重要度のうち最も低い重要度のデータが、消去されるようにしてもよい。この場合、データ消去後の記録装置の空き容量が前記予め定められた容量以下の場合は、空き容量が前記予め定められた容量以上になるまで、上記手順が繰り返される。
【００２９】
本実施の形態によれば、重要度が低いデータが自動的に選択されて消去されて記録装置に常にある程度の空き容量を確保することができ、記録装置を効率よく使用できる。また、データを消去しても対応するキー情報はそのまま消去されずに残されるので、消去されたデータがどのようなデータであったのかを確認することができ、そのデータを回復することが容易になる。
【００３０】
なお、本実施の形態では、前記数１により重要度を評価しているが、他の基準により重要度を評価してもよい。例えば、データを記録してからの経過時間、データの検索ヒット回数、最後の検索ヒットからの経過時間、データの再生回数、最後の再生からの経過時間のいずれか一つ以上を含む関数を用いて重要度を判定するようにしてもよい。
（第２の実施の形態）
図4に本発明の第２の実施の形態である、画像や音声を常時取り込む記憶補助装置を示す。基本的な構成は図1の記録再生装置と同様で、記録過程101と再生過程102と消去過程103を含んで構成されている。
【００３１】
記録過程101は、画像音声データ（画像データおよび音声データ）402を取りこむ画像音声データ取得装置401と、画像認識手段403や音声認識手段404からなる特徴抽出手段107と、時刻407を出力する時計405と、タッチパネルや温度計、GPSなどのセンサ406と、記録装置108と、を含んで構成されている。記録装置108は前記第１の実施の形態における記録装置108と同様のものである。
【００３２】
データ取得手段である画像音声データ取得装置401によって取り込まれた画像音声データ402は特徴抽出手段107に入る。特徴抽出手段107は、画像音声データ402の画像データを認識して得た画像内のテキストや特徴的な色、形状のテキスト情報や、音声データを認識して得たテキスト化された音声情報など、画像音声データ402内の特徴情報をテキストデータとして抽出し、キー情報110として生成する。
【００３３】
具体的には、音声認識手段404は、音声データを取りこみ、人の会話を音声認識してテキストデータに変換するほか、種々の物音、音楽などをテキストデータに変換し、これらテキスト情報をキー情報とする。連続的に取りこまれる音声情報の場合、ある時間枠ごとにキー情報が生成される。画像認識手段403は、画像データを取りこみ、画像中に含まれるテキストを認識し、画像として取り込まれた文字情報をテキストデータに変換する。また、画像として取り込まれた形状情報や色情報に対して、特徴的な形、色や顔などを認識してその名称をテキストデータとし、これらテキスト情報をキー情報とする。例えばある場所を連続的に撮像した画像データのような場合、画像フレームごとに、キー情報が生成される。画面に、撮影場所や時間や撮影された状況などが文字でスーパーインポーズされているような場合、それらの文字は抽出されてキー情報として記録される。
【００３４】
キー情報には、他に時計405による時刻407や、タッチパネルや温度計、GPSなどのセンサ406による使用者の入力情報や気温、位置情報などのセンサ情報408も含まれる。キー情報110はテキストデータであるため、画像音声データ402より容量は小さいが、特徴抽出手段107によって得られるため、画像音声データ402の特徴を捉えており、キー情報110のみでも補助的に記憶補助を行うことができる。画像音声データ402およびキー情報110は、記録装置108に記録される。
【００３５】
キー情報の作成は、画像フレームごとに作成してもよいが、予めサンプリング時間間隔を定め、サンプリング時間間隔ごとに抽出された画像についてキー情報を作成するようにしてもよい。この場合、音声データのキー情報は、前回抽出された画像フレームと今回抽出された画像フレームの間の音声データをテキスト化したものとすればよい。
【００３６】
再生過程102は、前記第１の実施の形態と同一の構成なので、構成の説明は省略する。再生過程102では、前記第１の実施の形態と同様に、再生コマンド102を受けて記録された情報を再生し、使用者の記憶の想起を補助する。画像音声データ自身402は消去されており、キー情報110のみとなっているデータに再生要求があった場合には、再生情報118としてキー情報110のみを再生し、補助的に記憶の補助を行う。
【００３７】
本記憶補助装置は、常時画像音声データ402を取り込むため、データの消去をしなければ記憶装置の空き容量がなくなり、データを記録できなくなる。また、常時取り込みのため不要なデータも多数存在するが、これを使用者が判断するためには一度すべて再生して使用者が閲覧する必要があり、効率が悪い。そこで、本実施の形態では、消去過程103を設け、自動的にデータの重要度を判別し、データの消去を行う。
【００３８】
消去過程103は、重要度評価手段119と消去手段120と時計405を含んで構成され、前記第１の実施の形態の場合と同じくデータに係る重要度判別データを格納すると共に各データの重要度を演算し、記録装置に規定の空き容量が得られるよう重要度が予め設定された閾値より低いデータを消去する。この際データは消去するのに対し、キー情報は消去せず、キー情報はデータが消去されたものの中から別途選択消去を行う。重要度評価手段119は、データ重要度評価手段410とキー情報重要度評価手段409で構成され、消去手段120は、データ消去手段414とキー情報消去手段413で構成されている。
【００３９】
データ重要度評価手段410は、前記図１に示す重要度評価手段119と同じ機能をもち、前記数1に示す演算を行ってデータ重要度412を算出する。キー情報重要度評価手段409は、キー情報に係る重要度判別データを格納すると共に数２に示す演算を行ってキー情報重要度JK 411を算出する。キー情報に係る重要度判別データは、データ消去時刻417、キー情報検索ヒット回数、最後の検索ヒットからの経過時間、キー情報再生回数、最後の再生からの経過時間を含んでいる。
データ重要度412はデータ消去手段414に出力され、キー情報重要度 411は、キー情報消去手段413に出力される。
【００４０】
【数２】
0003956099.tif 000003
但し、
JK：キー情報重要度411、
t：時刻202
t 0K：データ消去時刻417、
TK：データ消去に対応する忘却係数418、
ΩsK：検索重み419、
TsK：検索に対応する忘却係数420、
ΩpK：再生重み421、
TpK：再生に対応する忘却係数422。
NsK：検索ヒット回数、
ｔsK：最終検索ヒット時刻、
NpK：再生回数、
ｔpK：最終再生時刻、
数2は数1と同じ構造であるが、数2の第１項はデータ消去に関する重要度であり、データが消去されるまではキー情報重要度は1以上となる。本実施の形態では、データ未消去や消去から間もないキー情報および頻繁にアクセスのあるキー情報のキー情報重要度411が高くなる。キー情報重要度411はキー情報消去手段413に入力され、キー情報消去手段413は入力されたキー情報重要度411を予め設定された閾値と比較する。入力されたキー情報重要度411が指定の閾値以下であった場合は、キー情報消去手段413はキー情報消去指令415を記録装置108に出力し、そのキー情報は消去される。ただし、この閾値は1未満とし、データ未消去のキー情報は消去されない。
【００４１】
一般に、検索にヒットしただけのデータよりも、再生されたデータの方が重要であるため、再生に対応する忘却係数422は検索に対応する忘却係数420以上とし、再生重み421は検索重み419以上とする。さらに、キー情報110は画像音声データ402よりも小さな容量であり、補助的に記憶補助を行えるため、キー情報重要度411を演算する数2の、データ消去に対応する忘却係数418、検索に対応する忘却係数420、再生に対応する忘却係数422は、データ重要度を演算する数1の、データ作成に対応する忘却係数210、検索に対応する忘却係数212、再生に対応する忘却係数214より大きな値とする。
【００４２】
また、検索にはキー情報110を用いる。ここで、パラメータである忘却係数TK、TpK、TsK、および重みΩpK、ΩsK、閾値について、使用者によるカスタマイズや、学習による自動調整などを行う調整手段を保持してもよい。また、キー情報重要度411を演算するために必要な時刻t0K、tsK、tpKおよび回数NsK、NpKは、各データごとに保存が必要であり、各キー情報110の内部もしくは各キー情報110に対応付けられた重要度判別データとしてキー情報重要度評価手段409に格納され、随時記録更新される。この重要度判別データは、データ消去の際には消去されず、対応するキー情報と共に消去される。
【００４３】
消去コマンドの発生は、使用者による発生や、記録装置の空き容量108をチェックし、指定値以下になったことを感知しての自動発生や、モバイル機器であれば充電のためにドックに置いた際など非使用時であることを感知しての自動発生などの、いずれか一つ以上を組み合わせておくのが望ましい。
【００４４】
図５に、本実施の形態の具体的な構成例を示す。図示の記憶補助装置は、外部からデータを取りこむマイク付カメラ601と、マイク付カメラ601に接続され取りこんだ画像のデータを圧縮するＭＰＥＧエンコーダ602と、ＭＰＥＧエンコーダ602に接続されたＭＰＵ（主演算処理装置）603と、ＭＰＵ603に接続された記録装置606と、ＭＰＵ603に接続されたＭＰＥＧデコーダ604と、ＭＰＥＧデコーダ604に接続されたディスプレイ及びスピーカ605と、上記各機器に電力を供給するバッテリ607と、を含んで構成されている。
【００４５】
マイク付カメラ601とＭＰＥＧエンコーダ602が、図４における画像音声データ取得装置401を形成し、記録装置606が図４における記録装置１０８を形成している。そして、ＭＰＵ603が、図４における特徴抽出手段107、検索手段111、選択手段112、重要度評価手段119および消去手段120を兼ねている。図４における時計405、センサ406は、図５においては図示を省略してある。
【００４６】
図５に示す記憶補助装置は、電源にバッテリ607を用い、マイク付カメラ601を介して情報を取りこむ携帯型の装置であるが、大容量のサーバを備えた他のネットワーク608に接続し、日中取りこんだデータを１日の終わりにネットワーク608の大容量のサーバに転送して自身の記憶容量を元に戻す構成を付加することもできる。このようにすれば、他のネットワーク608のサーバからデータをダウンロードすることで、記憶の回復を補助することができる。
【００４７】
図６に、図５に示す記憶補助装置のディスプレイの画面表示例を示す。図示の表示例は、複数の画像（画像フレーム）であるデータ情報701と、各画像に付加されたキー情報702を表示したものである。画像がない部分は画像が既に消去されていることを示しているが、消去された画像に付加されたキー情報は消去されずに表示されている。データ量の大きい画像の消去により使用可能な記憶容量は増大し、データ量の小さいキー情報を残しておくことにより、消去された画像がどのような画像であったのかを想起することが可能になったことが示されている。
【００４８】
なお、取りこんだデータの種別、例えば、会議の記録であるとか、実験の記録であるとか、テレビ番組であるとかの種別に応じて前記閾値を異なる値に設定したデータベースを設けておき、前記数１で算出した重要度をこのデータベースに照らして消去の要否を判定するようにしてもよい。
【００４９】
本実施の形態によれば、長時間に亘って画像及び音声が記録されるデータの場合でも、データ量の大きい画像の消去により使用可能な記憶容量は増大し、データ量の小さいキー情報を残しておくことにより、消去された画像がどのような画像であったのかを想起することが可能になる。
（第３の実施の形態）
図７に本発明の第３の実施の形態である記録再生装置を示す。基本的な構成は図４に示す第２の実施の形態と同様である。本実施の形態が前記図４に示す第２の実施の形態と異なるのは、第２の実施の形態における画像音声データ取得装置401に代えて、常時または散時的（時々）にネットワーク501と接続しているデータ取得装置100を設けた点である。すなわち、データ109をネットワーク501上から取得する、もしくは取得したデータ109をネットワーク501上の記録装置にも記録することにより、記録装置に記録されたデータ109と同じデータが、ネットワーク501上にも記録されている。ただし、キー情報110にはネットワーク501上のデータの記録場所502が記載されており、使用者によってデータ109が消去されキー情報110の残存する情報へのアクセス要求が生じた場合、ネットワーク501上の対応するデータを再取得することによりデータを回復する。
【００５０】
また、本記録再生装置で取得したデータ109をネットワーク501上のサーバなど大容量記憶装置に記録する場合には、サーバ自身も本発明の記録再生装置として取り扱うことができ、データ109だけでなく重要度判別データをアップロードすることにより、これを用いて自動消去を行うことができる。この際、サーバの方が大きな忘却係数をもち、長くデータを保存する。
【００５１】
上記各実施の形態は磁気ディスクを用いた記録再生装置であるが、本発明は、磁気ディスクに限らず、繰り返し書き込みが可能なものであれば、光ディスク、光磁気ディスク等を用いた記録再生装置にも、適用できることはいうまでもない。
【００５２】
また、上記各実施の形態におけるデータの消去は、記録再生動作が行われていないときに実行されてもよい。
【００５３】
また、上記各実施の形態において、前記再生手段は、消去されたデータのキー情報にアクセスがあり、消去されたデータに対する再生要求があった場合には、キー情報のみを再生するように構成されている。前記再生手段はまた、データが消去され、対応するキー情報のみとなったデータが検索にヒットした場合、該データが消去されていることを表示するよう構成されている。
【００５４】
【発明の効果】
本発明によれば、記憶容量が有限である記録装置を効率よく使用することができるとともに、データが消去されている場合でも、キー情報が保存されているので、データの回復や最低限の記憶補助が可能となる。
【図面の簡単な説明】
【図１】本発明の第１の実施の形態に係る記録再生装置の要部構成を示すブロック図である。
【図２】図１に示す実施の形態におけるデータ重要度の時刻暦変動の例を示す概念図である。
【図３】図１に示す実施の形態の基本動作をフローチャートで示したものである。
【図４】本発明の第２の実施の形態に係る記憶補助装置の要部構成を示すブロック図である。
【図５】本発明の第２の実施の形態に係る記憶補助装置の実機構成の例を示す概念図である。
【図６】本発明の第２の実施の形態に係る画面表示の例を示す図である。
【図７】本発明の第３の実施の形態に係る記録再生装置の要部構成を示すブロック図である。
【符号の説明】
１００  データ取得装置
１０１  記録過程
１０２  再生過程
１０３  消去過程
１０４  記録コマンド
１０５  再生コマンド
１０６  消去コマンド
１０７  特徴抽出手段
１０８  記録装置
１０９  データ
１１０  キー情報
１１１  検索手段
１１２  選択手段
１１３  再生手段
１１４  検索指令
１１５  選択指令
１１６  検索結果
１１７  選択結果
１１８  再生情報
１１９  重要度評価手段
１２０  消去手段
１２２  消去指令
２０１  重要度
２０２  時刻
２０３  閾値
２０４  データ取得時刻
２０５  データ取得重み
２０６  最終検索ヒット時刻
２０７  検索ヒット重み
２０８  最終再生時刻
２０９  再生重み
３０１  データ取得
３０２  キー情報生成
３０３  情報記録
３０４  検索ヒットカウント最終検索時刻更新
３０５  検索結果表示
３０６  再生カウント最終再生時刻更新
３０７  再生結果表示
３０８  再生終了
３０９  重要度演算
３１０  重要？
３１１  データ消去
４０１  画像音声データ取得装置
４０２  画像音声データ
４０３  画像認識手段
４０４  音声認識手段
４０５  時計
４０６  センサ
４０７  時刻
４０８  センサ情報
４０９  キー情報重要度評価手段
４１０  データ重要度評価手段
４１１  キー情報重要度
４１２  データ重要度
４１３  キー情報消去手段
４１４  データ消去手段
４１５  キー情報消去指令
４１６  データ消去指令
７０１  データ情報
７０２  キー情報
【図１】
0003956099.tif 000007
【図２】
0003956099.tif 000008
【図３】
0003956099.tif 000009
【図４】
0003956099.tif 000010
【図５】
0003956099.tif 000011
【図６】
0003956099.tif 000012
【図７】
0003956099.tif 000013